(57)【要約】【課題】地上波を受信するＴＶ放送受信システムにおいて、所定チャンネルのＴＶ放送信号を受信する際の多指向性アンテナの有効な受信方向を決定し易くし、更に、自動的に決定できるようにする。【解決手段】ＴＶ放送受信システム１の多指向性アンテナ３は、ＴＶ放送信号を受信する際の基準方向を特定するコンパス３３、アンテナの設置位置の緯度、経度及び高度を特定するＧＰＳ端末３４及び高度計３５、並びに、これらにより特定された情報を含むアンテナ情報を表示するＬＣＤ３６を有し、ＴＶ放送受信装置２は、アンテナ情報を入力するためのリモコン４と、送信塔の位置及び送信されるチャンネルに関する情報を含む送信塔情報を記憶するメモリ２６とを有するので、これらの情報に基づいて多指向性アンテナ３の設置位置に対する送信塔の相対方向を特定して、所定チャンネルのＴＶ放送信号を受信する際の多指向性アンテナ３の受信方向を自動的に決定する。【選択図】  図２
2006025201.tif 000002
【特許請求の範囲】
【請求項１】
予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、
前記多指向性アンテナは、
前記テレビジョン放送信号を受信する際に基準となる基準方向を特定するコンパスと、
前記多指向性アンテナの設置位置の緯度及び経度を特定するＧＰＳ（Global  Positioning  System）端末と、
前記多指向性アンテナの設置位置の高度を特定する高度計と、
前記コンパスにより特定された基準方向、前記ＧＰＳ端末により特定されたアンテナ設置位置の緯度及び経度、前記高度計により特定されたアンテナ設置位置の高度、並びに、前記多指向性アンテナのアンテナタイプ及びサイズとを含むアンテナ情報を符号化して表示するディスプレイとを有し、
前記テレビジョン放送受信装置は、
前記ディスプレイに表示されたアンテナ情報を入力するためのアンテナ情報入力手段と、
テレビジョン放送信号を送信する複数の送信塔の位置情報、及び各送信塔から送信されるチャンネルに関するチャンネル情報を含む送信塔情報を記憶する送信塔情報記憶手段と、
前記アンテナ情報入力手段により入力されたアンテナ情報及び前記送信塔情報記憶手段に記憶された送信塔情報に基づいて、前記コンパスにより特定された前記基準方向を基準として、前記多指向性アンテナの設置位置に対する前記送信塔の相対方向を特定する送信塔方向特定手段と、
前記送信塔方向特定手段により特定された送信塔の相対方向に基づいて、所定チャンネルのテレビジョン放送信号を受信する際の前記多指向性アンテナの有効な受信方向を決定する受信方向決定手段とを有することを特徴とするテレビジョン放送受信システム。
【請求項２】
予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、
前記多指向性アンテナは、
前記テレビジョン放送信号を受信する際に基準となる基準方向を特定する基準方向特定手段を有し、
前記テレビジョン放送受信装置は、
前記基準方向特定手段により特定された基準方向を基準として、前記多指向性アンテナの設置位置に対する、テレビジョン放送信号を送信する送信塔の相対方向を特定する送信塔方向特定手段と、
前記送信塔方向特定手段により特定された送信塔の相対方向に基づいて、所定チャンネルのテレビジョン放送信号を受信する際の前記多指向性アンテナの有効な受信方向を決定する受信方向決定手段とを有することを特徴とするテレビジョン放送受信システム。
【請求項３】
前記多指向性アンテナは、
前記多指向性アンテナの設置位置の緯度及び経度を特定するアンテナ設置位置特定手段と、
前記基準方向、並びに、前記アンテナ設置位置特定手段により特定されたアンテナの設置位置の緯度及び経度を含むアンテナ情報を出力するアンテナ情報出力手段とを更に有し、
前記テレビジョン放送受信装置は、
前記アンテナ情報出力手段により出力されたアンテナ情報を入力するアンテナ情報入力手段と、
テレビジョン放送信号を送信する複数の送信塔の位置情報、及び各送信塔から送信されるチャンネルに関するチャンネル情報を含む送信塔情報を記憶する送信塔情報記憶手段とを更に有し、
前記送信塔方向特定手段は、前記アンテナ情報入力手段により入力されたアンテナ情報及び前記送信塔情報記憶手段に記憶された送信塔情報に基づいて、前記基準方向を基準として、前記多指向性アンテナの設置位置に対する前記送信塔の相対方向を特定することを特徴とする請求項２に記載のテレビジョン放送受信システム。
【発明の詳細な説明】
【技術分野】
【０００１】
本発明は、複数の方向から配信されるテレビジョン放送信号を受信するテレビジョン放送受信システムに関する。
【背景技術】
【０００２】
ＡＴＳＣディジタルテレビジョン放送が行われている北米大陸では、平野部に大都市が点在するため、各都市の近郊で放送されているディジタルテレビジョン放送信号を他の都市や、その中間地点で受信することが可能である。また、従来のＮＴＳＣアナログテレビジョン放送も引き続き行われている。テレビジョン放送信号を受信するユーザ側から見ると、様々な方向からテレビジョン放送信号が配信されてくるため、自分の見たい番組が放送されている放送局の方向にアンテナの向きを調節する必要がある。そこで、スマートアンテナなど多指向性アンテナが実用化されつつある。
【０００３】
ＥＩＡ−９０９規格によれば、スマートアンテナは円を１６分割した各方向に受信方向を有すると規定されており、このようなスマートアンテナに接続されるテレビジョン放送受信装置は、スマートアンテナの受信方向を調節できるように設定されている。なお、複数の方向から電波を受信することが可能なアンテナとして、例えば、特許文献1乃至特許文献３に記載されるアンテナが知られている。
【特許文献１】特開２００１−２０３５２７号公報
【特許文献２】特開２００２−１９８８７８号公報
【特許文献３】特開２００３−５２９２６２号公報
【発明の開示】
【発明が解決しようとする課題】
【０００４】
ところで、上述したようなスマートアンテナは、１６分割された受信方向のうち、１つの受信方向のみを有効することにより、指向性（受信方向）を変更することができるため、通常はどのような向きにスマートアンテナをセットしても構わない。しかしながら、基準となる方向を定めずにスマートアンテナを設置した場合、テレビジョン放送受信装置側では、スマートアンテナ内部で割り当てられた１６方向が、実際にどのような方角（東西南北など）に対応するのか判別することができない。このため、テレビジョン放送受信装置側では、テレビジョン放送を送信する送信塔の方向が分かっていたとしても、この情報に基づいてスマートアンテナの有効な受信方向を調節することができなかった。
【０００５】
また、各送信塔から送信される各チャンネルについて、ユーザがマニュアル操作により、スマートアンテナの有効な受信方向を調節するのは、非常に面倒である。なお、テレビジョン放送受信装置のなかには、ユーザが選択したチャンネルのテレビジョン放送信号を最も状態良く受信できるアンテナの受信方向を自動的に選択するオートスキャン機能を備えたものも存在するが、このような装置では、すべての受信方向をスキャンするため、チャンネルの受信方向を決定するのに長時間を要していた。
【０００６】
本発明は、上記の問題を解決するためになされたものであり、所定チャンネルのテレビジョン放送信号を受信する際の多指向性アンテナの有効な受信方向を決定し易くすることができるテレビジョン放送受信システムを提供することを第１の目的とし、所定チャンネルのテレビジョン放送信号を受信する際の多指向性アンテナの有効な受信方向を自動的に決定することができるテレビジョン放送受信システムを提供することを第２の目的とする。
【課題を解決するための手段】
【０００７】
上記目的を達成するために請求項１の発明は、予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、前記多指向性アンテナは、前記テレビジョン放送信号を受信する際に基準となる基準方向を特定するコンパスと、前記多指向性アンテナの設置位置の緯度及び経度を特定するＧＰＳ（Global  Positioning  System）端末と、前記多指向性アンテナの設置位置の高度を特定する高度計と、前記コンパスにより特定された基準方向、前記ＧＰＳ端末により特定されたアンテナ設置位置の緯度及び経度、前記高度計により特定されたアンテナ設置位置の高度、並びに、前記多指向性アンテナのアンテナタイプ及びサイズとを含むアンテナ情報を符号化して表示するディスプレイとを有し、前記テレビジョン放送受信装置は、前記ディスプレイに表示されたアンテナ情報を入力するためのアンテナ情報入力手段と、テレビジョン放送信号を送信する複数の送信塔の位置情報、及び各送信塔から送信されるチャンネルに関するチャンネル情報を含む送信塔情報を記憶する送信塔情報記憶手段と、前記アンテナ情報入力手段により入力されたアンテナ情報及び前記送信塔情報記憶手段に記憶された送信塔情報に基づいて、前記コンパスにより特定された前記基準方向を基準として、前記多指向性アンテナの設置位置に対する前記送信塔の相対方向を特定する送信塔方向特定手段と、前記送信塔方向特定手段により特定された送信塔の相対方向に基づいて、所定チャンネルのテレビジョン放送信号を受信する際の前記多指向性アンテナの有効な受信方向を決定する受信方向決定手段とを有することを特徴とする。
【０００８】
請求項２の発明は、予め定められている複数の受信方向を有する多指向性アンテナと、前記多指向性アンテナが接続され、この多指向性アンテナの複数の受信方向のうちのいずれか１つの受信方向のみを有効にして、テレビジョン放送信号を受信するテレビジョン放送受信装置とを備えたテレビジョン放送受信システムにおいて、前記多指向性アンテナは、前記テレビジョン放送信号を受信する際に基準となる基準方向を特定する基準方向特定手段を有し、前記テレビジョン放送受信装置は、前記基準方向特定手段により特定された基準方向を基準として、前記多指向性アンテナの設置位置に対する、テレビジョン放送信号を送信する送信塔の相対方向を特定する送信塔方向特定手段と、前記送信塔方向特定手段により特定された送信塔の相対方向に基づいて、所定チャンネルのテレビジョン放送信号を受信する際の前記多指向性アンテナの有効な受信方向を決定する受信方向決定手段とを有することを特徴とする。
【０００９】
請求項３の発明は、請求項２に記載の発明において、前記多指向性アンテナは、前記多指向性アンテナの設置位置の緯度及び経度を特定するアンテナ設置位置特定手段と、前記基準方向、並びに、前記アンテナ設置位置特定手段により特定されたアンテナの設置位置の緯度及び経度を含むアンテナ情報を出力するアンテナ情報出力手段とを更に有し、前記テレビジョン放送受信装置は、前記アンテナ情報出力手段により出力されたアンテナ情報を入力するアンテナ情報入力手段と、テレビジョン放送信号を送信する複数の送信塔の位置情報、及び各送信塔から送信されるチャンネルに関するチャンネル情報を含む送信塔情報を記憶する送信塔情報記憶手段とを更に有し、前記送信塔方向特定手段は、前記アンテナ情報入力手段により入力されたアンテナ情報及び前記送信塔情報記憶手段に記憶された送信塔情報に基づいて、前記基準方向を基準として、前記多指向性アンテナの設置位置に対する前記送信塔の相対方向を特定することを特徴とする。
【発明の効果】
【００１０】
請求項１の発明によれば、前記テレビジョン放送信号を受信する際に基準となる基準方向を特定するコンパスを有するので、所定チャンネルのテレビジョン放送信号を受信する際の多指向性アンテナの有効な受信方向を決定し易くなる。
【００１１】
また、多指向性アンテナが、アンテナの設置位置の緯度及び経度を特定するＧＰＳ端末と、アンテナの設置位置の高度を特定する高度計と、アンテナ情報を表示するディスプレイを更に有し、テレビジョン放送受信装置が、アンテナ情報を入力するためのアンテナ情報入力手段と、送信塔の位置情報及び送信塔から送信されるチャンネルに関するチャンネル情報を含む送信塔情報を記憶する送信塔情報記憶手段とを有するので、これらの情報に基づいて多指向性アンテナの設置位置に対する送信塔の相対方向を特定して、所定チャンネルのテレビジョン放送信号を受信する際の多指向性アンテナの有効な受信方向を自動的に決定することができる。
【００１２】
請求項２の発明によれば、テレビジョン放送信号を受信する際に基準となる基準方向を特定する基準方向特定手段を有するので、所定チャンネルのテレビジョン放送信号を受信する際の多指向性アンテナの有効な受信方向を決定し易くなる。
【００１３】
請求項３の発明によれば、多指向性アンテナが、アンテナの設置位置の緯度及び経度を特定するアンテナ設置位置特定手段と、アンテナ情報を出力するアンテナ情報出力手段を更に有し、テレビジョン放送受信装置が、アンテナ情報を入力するアンテナ情報入力手段、並びに、送信塔の位置情報及び送信塔から送信されるチャンネルに関するチャンネル情報を含む送信塔情報を記憶する送信塔情報記憶手段とを有するので、これらの情報に基づいて多指向性アンテナの設置位置に対する送信塔の相対方向を特定して、所定チャンネルのテレビジョン放送信号を受信する際の多指向性アンテナの有効な受信方向を自動的に決定することができる。
【発明を実施するための最良の形態】
【００１４】
本発明の第１の実施形態に係るテレビジョン（ＴＶ）放送受信システムについて説明する。ユーザが家庭においてＴＶ放送信号を受信する状況を図１に示す。ディジタル（地上波）ＴＶ放送が行われている地域では、受信したＴＶ放送信号の強度が一定の閾値以上であれば、エラー訂正などにより一定の画質の画像が得られる。そのため、図１に示すように、アンテナの設置位置Ｈでは、複数箇所に点在する送信塔Ａ〜Ｄから送信されてくる各チャンネルのＴＶ放送信号を受信して、ＴＶ番組を視聴することができる。このような状況に対応して、複数の受信方向を有するスマートアンテナと呼ばれる多指向性アンテナが実用化されている。
【００１５】
ＴＶ放送受信システム１は、このようなスマートアンテナ３と、これに接続されるＴＶ放送受信装置２とを備えている。ＴＶ放送受信装置２は、スマートアンテナ３の有効な受信方向を切り替えることにより、複数箇所に点在する送信塔Ａ〜Ｄから所定周波数帯域で配信されてくるＴＶ放送信号を受信して、各チャンネルのＴＶ放送信号に含まれるＴＶ番組をモニタ装置に出力する。なお、本実施の形態の説明では、ＴＶ番組の放送に使用されている搬送波の周波数帯域である物理チャンネルのことを、単にチャンネルという。
【００１６】
図２に示されるように、ＴＶ放送受信装置２は、スマートアンテナ３に接続されＴＶ放送信号を受信するチューナ２１、チューナ２１で受信したＴＶ放送信号に対して所定の信号処理を行い、復号化するフロントエンド２２、ＭＰＥＧ圧縮されていたＴＶ放送信号をデコードするＭＰＥＧデコーダ２３、デコードされたＴＶ放送信号に所定の表示画像を重畳させるオンスクリーンディスプレイ（ＯＳＤ）部２４、チューナ２１により受信したＴＶ放送信号の受信状態を検知し、制御信号を出力してスマートアンテナ３の制御ユニット３２を制御すると共に、ＴＶ放送受信装置２全体を制御する制御部２５、受信方向テーブルを記憶するメモリ２６、モジュラ端子２７、及びリモコン４から送出された信号を受信して制御部２５へ出力するリモコン受信部２８などで構成されている。ＭＰＥＧデコーダ２３によりデコードされたＴＶ放送信号は、オンスクリーンディスプレイ部２４を介してモニタ装置に出力され、表示される。
【００１７】
メモリ２６に記憶される受信方向テーブルは、各送信塔Ａ〜Ｄから送信される各チャンネルのチャンネル番号、及びこれら各チャンネルを受信する際のスマートアンテナ３の受信方向に関する情報を含んでいる。
【００１８】
スマートアンテナ３は、有効な受信方向を機械的又は電子的に切り替えることにより複数の受信方向Ｄ１〜Ｄ１６（図３参照）からＴＶ放送信号を受信するアンテナ部３１と、アンテナ部３１の動作を制御する制御ユニット３２とを備えている。制御ユニット３２は、ＴＶ放送受信装置２から入力された制御信号に応じて、アンテナ部３１の複数ある受信方向Ｄ１〜Ｄ１６のうち、指示された受信方向のみを有効してＴＶ放送信号をする。
【００１９】
また、図３に示されるように、スマートアンテナ３の上面には、ユーザに対してスマートアンテナ３の設置方向を指示するための基準方向特定マーク（基準方向特定手段）３０が付されており、本システム１では、ユーザに、基準方向特定マーク３０を所定の基準方向（例えば、北方向）Ｎに合わせて設置させることにより、スマートアンテナ３の設置方向を特定する。なお、図３においては、基準方向Ｎと受信方向Ｄ１が一致している場合について示している。
【００２０】
次に、所定チャンネルのＴＶ放送信号を受信する際のスマートアンテナ３の有効な受信方向を、ユーザのマニュアル操作により決定する受信方向決定処理について、図４及び図５を参照して説明する。ユーザのリモコン操作により、受信方向決定処理が開始されると、ＴＶ放送受信装置２は、図５（ａ）に示されるような受信方向決定画面５０をモニタ出力し（Ｓ１）、ユーザによる送信塔方向の入力を受け付ける（Ｓ２）。ユーザは、図５（ｂ）に示される矢印キー（送信塔方向特定手段）４１を利用して受信方向決定画面５０のカーソル５１を操作し、基準方向Ｎを基準として、スマートアンテナ３の設置位置に対する送信塔の相対方向（送信塔方向）を特定する。次に、ＴＶ放送受信装置２は、ユーザによる受信方向の入力を受け付ける（Ｓ３）。ユーザは、決定キー（受信方向決定手段）４２を押下することにより、所定チャンネルのＴＶ放送信号を受信する際のスマートアンテナ３の有効な受信方向を決定し、ＴＶ放送受信装置２に受信方向を入力する。ＴＶ放送受信装置２は、ユーザにより受信方向が入力されると、チャンネル番号と対応させて、この受信方向を受信方法テーブルに記憶する（Ｓ４）。制御部２５は、選局処理時に、受信方向テーブルから選局されるチャンネルの受信方向を読み出して、この受信方向を指示する制御信号をスマートアンテナ３に出力することにより、選局処理を実行する。
【００２１】
このように、ユーザに、基準方向特定マーク３０に基づいてスマートアンテナ３を設置させることにより、スマートアンテナ３内部で割り当てられた１６方向が、実際にどのような方角（東西南北など）に対応するのかを特定できるようになる。このため、ユーザは、ＴＶ放送信号を送信する送信塔の方向に合わせて、所定チャンネルのＴＶ放送信号を受信する際のスマートアンテナ３の有効な受信方向を決定し易くなる。
【００２２】
次に、本発明の第２の実施形態に係るＴＶ放送受信システムについて説明する。本実施形態におけるＴＶ放送受信システム１は、所定チャンネルのＴＶ放送信号を受信する際のスマートアンテナ３の受信方向を自動的に決定する点で第１の実施形態と異なる。
【００２３】
図６に示されるように、スマートアンテナ３は、アンテナ部３１、及び制御ユニット３２に加えて、コンパス３３、ＧＰＳ端末３４、高度計３５、及びＬＣＤ（Liquid  Crystal  Display）３６を備えている。コンパス３３は、ＴＶ放送信号を受信する際に基準となる基準方向を特定し、この基準方向に対応する信号を制御ユニット３２に出力する。ＧＰＳ端末３４は、スマートアンテナ３の設置位置の緯度及び経度を特定し、これら緯度及び経度に対応する信号を制御ユニット３２に出力する。高度計３５は、スマートアンテナ３の設置位置の高度を特定し、この高度に対応する信号を制御ユニット３２に出力する。ＬＣＤ３６は、コンパス３３により特定された基準方向、ＧＰＳ端末３４により特定されたアンテナ設置位置の緯度及び経度、高度計３５により特定されたアンテナ設置位置の高度、並びに、スマートアンテナ３のアンテナタイプ及びサイズを含むアンテナ情報を表示する。
【００２４】
次に、図７を参照して、ＴＶ放送受信装置２のメモリ（送信塔情報記憶手段）２６に記憶される送信塔情報テーブル６０について説明する。送信塔情報テーブル６０は、各地域に存在する送信塔の位置情報６１、及び各送信塔から送信されるチャンネルに関するチャンネル情報６２を含む送信塔情報を記憶している。なお、図７においては、図１に示した送信塔Ａ〜Ｄについてのみ送信塔情報を示し、他は省略している。位置情報６１は、例えば、送信塔Ａ〜Ｄが設置されている緯度及び経度に関する情報を含んで構成される。チャンネル情報６２は、各送信塔Ａ〜Ｄから送信される複数のチャンネル（チャンネル群）に関する情報を含んでおり、例えば、図７において、送信塔Ａは、２チャンネル、１３チャンネル及び１８チャンネル等を送信していることを示している。
【００２５】
次に、スマートアンテナ３をセットアップする際に行われるアンテナセットアップ処理ついて図８及び図９を参照して説明する。ユーザがスマートアンテナ３を設置後、スマートアンテナ３の上面に設けられたセットアップボタン３７を押下すると、まず、コンパス３３により基準方向Ｎが特定され、基準方向Ｎに対応する信号が制御ユニット３２に入力される（Ｓ２１）。次に、ＧＰＳ端末３４及び高度計３５により、スマートアンテナ３の設置位置の緯度、経度、及び高度が測定され、各測定値に対応した信号が制御ユニット３２に入力される（Ｓ２２）。制御ユニット３２は、入力された基準方向Ｎ、アンテナ設置位置の緯度、経度、及び高度、並びに、スマートアンテナ３のアンテナタイプ及びサイズを含むアンテナ情報を符号化し（Ｓ２３）、ＬＣＤ３６に出力する（Ｓ２４）。ＬＣＤ３６は、制御ユニット３２から入力されたアンテナ情報を表示する（図９参照）。
【００２６】
次に、ＴＶ放送受信装置２をセットアップする際に行われる受信装置セットアップ処理ついて図１０を参照して説明する。ＴＶ放送受信装置２の設置後、ユーザが、上述のようにＬＣＤ３６に表示されたアンテナ情報をリモコン（アンテナ情報入力手段）４を操作してＴＶ放送受信装置２に入力すると（Ｓ４１）、制御部２５は、入力されたアンテナ情報に含まれるアンテナの設置位置に関する情報、及び送信塔情報テーブル６０に記憶されている位置情報６１に基づいて、基準方向Nを基準として、スマートアンテナ３の設置位置に対する送信塔の相対方向（送信塔方向）を特定する（Ｓ４２）。そして、特定された送信塔方向に基づいて、チャンネル情報６２を参照して各送信塔Ａ〜Ｄから送信される各チャンネル（チャンネル群）のＴＶ放送信号を受信する際のスマートアンテナ３の有効な受信方向を決定し（Ｓ４３）、受信方向テーブルに記憶する（Ｓ４４）。このように、制御部２５は、受信装置セットアップ処理を行うことにより、送信塔方向特定手段及び受信方向決定手段として機能して、所定チャンネルのＴＶ放送信号を受信する際のスマートアンテナ３の受信方向を自動的に決定する。
【００２７】
図１１は、上記受信装置セットアップ処理により作成された受信方向テーブルの例を示す図である。受信方向テーブル７０には、各チャンネルのチャンネル番号７１と対応させて、これらのチャンネルを受信する際の受信方向７２が記憶されている。なお、図１１において、受信方向７２の欄に記載されている各数字は、図９におけるスマートアンテナ３の受信方向Ｄ１〜Ｄ１６に対応している（例えば、”１６”は受信方向Ｄ１６に、”１１”は受信方向Ｄ１１にそれぞれ対応）。制御部２５は、選局処理時に、受信方向テーブル７０から選局されるチャンネルの受信方向７２を読み出して、この受信方向７２を指示する制御信号をスマートアンテナ３に出力することにより、選局処理を実行する。
【００２８】
本実施形態のＴＶ放送受信システム１によれば、スマートアンテナ３が、基準方向Ｎを特定するコンパス３３と、アンテナの設置位置の緯度及び経度を特定するＧＰＳ端末３４と、アンテナの設置位置の高度を特定する高度計３５と、アンテナ情報を表示するＬＣＤ３６とを有し、ＴＶ放送受信装置２が、アンテナ情報を入力するためのリモコン４と、送信塔情報テーブル６０を記憶するメモリ２６とを有するので、これらの情報に基づいてスマートアンテナ３の設置位置に対する送信塔の相対方向を特定して、所定チャンネルのＴＶ放送信号を受信する際のスマートアンテナ３の有効な受信方向を自動的に決定することができる。また、スマートアンテナ３のすべての受信方向をスキャンしないため、各チャンネルの受信方向を決定するのに長い時間を要することもない。
【００２９】
なお、本発明は上記実施形態の構成に限られることなく種々の変形が可能である。例えば、無線或いは有線を介して、アンテナ情報をスマートアンテナ３からＴＶ放送受信装置２に直接、送信するようにしてもよい。また、１が受信できるＴＶ放送信号は、ディジタルテレビジョン放送信号に限られずアナログテレビジョン放送信号であってもよい。また、スマートアンテナ３の受信方向数は、上記実施形態で例示した１６方向に限られず、４方向や８方向など、その他の数であってもよい。
【図面の簡単な説明】
【００３０】
【図１】ユーザが家庭においてＴＶ放送信号を受信する状況を示す概念図。
【図２】本発明の第１の実施形態に係るＴＶ放送受信システムの構成を示すブロック図。
【図３】同システムのスマートアンテナの上面図。
【図４】同システムのＴＶ放送受信装置による受信方向決定処理を示すフローチャート。
【図５】（ａ）は受信方向決定処理時の受信方向決定画面を示す図であり、（ｂ）は同受信方向決定処理時に使用するリモコンを示す図。
【図６】本発明の第２の実施形態に係るＴＶ放送受信システムの構成を示すブロック図。
【図７】同システムにおいて利用される送信塔情報テーブルを示す図。
【図８】同システムのスマートアンテナによるアンテナセットアップ処理を示すフローチャート。
【図９】同スマートアンテナの上面図。
【図１０】同システムのＴＶ放送受信装置による受信装置セットアップ処理を示すフローチャート。
【図１１】同受信装置セットアップ処理により作成された受信方向テーブルを示す図。
【符号の説明】
【００３１】
１    テレビジョン放送受信システム
２    テレビジョン放送受信装置
３    スマートアンテナ（多指向性アンテナ）
２１  チューナ
２２  フロントエンド
２３  ＭＰＥＧデコーダ
２４  オンスクリーンディスプレイ部
２５  制御部
２６  メモリ
３０  基準方向特定マーク
３１  アンテナ部
３２  制御ユニット
３３  コンパス
３４  ＧＰＳ端末
３５  高度計
３６  ＬＣＤ
【図１】
2006025201.tif 000003
【図２】
2006025201.tif 000004
【図３】
2006025201.tif 000005
【図４】
2006025201.tif 000006
【図５】
2006025201.tif 000007
【図６】
2006025201.tif 000008
【図７】
2006025201.tif 000009
【図８】
2006025201.tif 000010
【図９】
2006025201.tif 000011
【図１０】
2006025201.tif 000012
【図１１】
2006025201.tif 000013